(57)【要約】【課題】  同一エリアに複数の表示内容を表示できるようにして表示スペースを最小にし、かつ、改定作業を短時間に行うことができる表示装置を提供する。【解決手段】  表示装置１は、光透過性の基板１０の片面に、緑色光を透過する○パターン２１、赤色光を透過する×パターン２２、および青色光を透過する△パターン２３とを同一エリアに形成したパターン部２０が形成されており、基板１０の他方の面に面して、パターン部２０に対向させて、緑色ＬＥＤ３１、赤色ＬＥＤ３２、および青色ＬＥＤ３３を備える光源３０が配置されている。ＬＥＤ３１〜３３の点灯に応じて、その発光色に適合する透過色を有するパターン２１〜２３の１つが表示される。【選択図】    図１
2006215641.tif 000002
【特許請求の範囲】
【請求項１】
複数の色の光を選択的に発光する光源と、
前記光源からの前記複数の色の光を受けて、前記複数の色の光を個別に透過する複数のパターンが交差するように設けられた表示部とを備えたことを特徴とする表示装置。
【請求項２】
前記光源は、赤色、緑色、および青色を発光する３種のＬＥＤのうち少なくとも２種のＬＥＤを備えたことを特徴とする請求項１記載の表示装置。
【請求項３】
前記表示部は、光透過性の基板と、
前記基板に形成されて前記光源の第１の発光色を透過する第１の光透過パターンと、
前記基板に形成されて前記光源の第２の発光色を透過する第２の光透過パターンと、
前記基板に形成されて前記光源の第３の発光色を透過する第３の光透過パターンとを備え、
前記第１乃至第３の光透過パターンのうち少なくとも２つの前記光透過パターンは、互いに交差する交差部を備えたことを特徴とする請求項１記載の表示装置。
【請求項４】
前記交差部は、交差する前記光透過パターンの光透過色と同一色の光透過特性を有することを特徴とする請求項３記載の表示装置。
【請求項５】
前記交差部は、前記第１乃至第３の光透過パターンの交差部であり、透明を有することを特徴とする請求項３記載の表示装置。
【発明の詳細な説明】
【技術分野】
【０００１】
本発明は、自動販売機等に用いられる表示装置に関し、特に、同一エリアに複数の表示内容を表示できるようにして表示スペースを最小にし、かつ、価格等の改定作業を短時間に行うことができる表示装置に関する。
【背景技術】
【０００２】
缶ジュース、たばこ等の自動販売機として、商品見本陳列棚に設置された商品見本に対応して正面パネルに設置された商品選択ボタンが、ＬＥＤを光源にして文字表示による“売切”および円状の販売可能表示部を備え、更に、人目を引かせたい特定の商品に対応して複数のＬＥＤを点灯させる発光部を併設した押しボタン装置を備えた自動販売機が知られている（例えば、特許文献１参照。）。
【０００３】
また、缶コーヒー等の自動販売機では、冷やしたものと温めたものの両方を販売できる機種がある。この場合、商品見本の下側にＨＯＴ、ＣＯＬＤ等の表示を交換可能なフィルムに表記し、これを所定の位置に設置しておき、昼間は外光の反射を利用し、夜間は背面より蛍光灯の光を用いてユーザが容易に識別できるようにしている。
【特許文献１】特開２００４−１５２２５３号公報（［００２４］〜［００３３］、図１、図１０）
【発明の開示】
【発明が解決しようとする課題】
【０００４】
しかし、従来の自動販売機によると、“売切”表示部、販売可表示部等を単独に設けているため、これらの表示のための占有面積が大きくなる。また、ＨＯＴ、ＣＯＬＤ等の表記をフィルムで行った場合、自動販売機の冷温を切替える際、このフィルムを作業者によって交換しなくてはらない。
【０００５】
更に、フィルムは、その種類を減らすためにサンプル缶を乗せるステージ毎に用意されるため、商品見本をＨＯＴスペース、ＣＯＬＤスペースに分けてセットする必要がある。このため、商品見本の配置に制限が生じる。
【０００６】
また、価格表記にもフィルムを用いる自動販売機が知られている。このような自動販売機は、価格改定の際、改定前の価格表示の上に改定後の価格シールを貼り付ける作業が伴う。
【０００７】
このように、一般に自動販売機では、冷温の切替や価格の改定時に作業者によるフィルムの差し替えや価格シールの貼り替え作業等の改定作業が生じると共に、そのような改定作業を誤って行うと自動販売機の内部設定内容と表示内容が異なってしまうという問題も生じるおそれがある。また、作業者の改定作業内容が多くなると、自動販売機の扉を開放している時間が長くなり、歩行者等の通行を妨げる時間が多くなる。
【０００８】
従って、本発明の目的は、同一エリアに複数の表示内容を表示できるようにして表示スペースを最小にし、かつ、価格等の改定作業を短時間に行うことができる表示装置を提供することにある。
【課題を解決するための手段】
【０００９】
本発明は、上記目的を達成するため、複数の色の光を選択的に発光する光源と、前記光源からの前記複数の色の光を受けて、前記複数の色の光を個別に透過する複数のパターンが交差するように設けられた表示部とを備えたことを特徴とする表示装置を提供する。
【００１０】
この構成によれば、表示部は、複数のパターンが同一エリア内に設けられ、光源からの色に応じたパターンの表示を行う。
【００１１】
前記光源は、赤色、緑色、および青色を発光する３種のＬＥＤの少なくとも２種のＬＥＤを備えた構成としてもよい。
【００１２】
前記表示部は、光透過性の基板と、前記基板に形成されて前記光源の第１の発光色を透過する第１の光透過パターンと、前記基板に形成されて前記光源の第２の発光色を透過する第２の光透過パターンと、前記基板に形成されて前記光源の第３の発光色を透過する第３の光透過パターンとを備え、前記第１乃至第３の光透過パターンのうち少なくとも２つの前記光透過パターンは、互いに交差する交差部を備えた構成としてもよい。
【００１３】
前記交差部は、交差する前記光透過パターンの光透過色と同一色の光透過特性を有する構成としてもよい。
【００１４】
前記交差部は、前記第１乃至第３の光透過パターンの交差部であり、透明を有する構成としてもよい。
【００１５】
前記光源は、赤色、緑色、および青色を発光するＲＧＢＬＥＤであることが好ましい。単一のＬＥＤで赤色、緑色、青色あるいはこれらの混色の光を発光できるので、小型化が図れる。
【００１６】
前記第１，第２，第３の光透過パターンは、例えば、文字、数字、記号、またはこれらの組合せからなる。
【００１７】
前記表示部は、表面に反射防止用の部材が設けられていることが好ましい。外光の散乱を抑えられるので、表示が見やすくなる。
【発明の効果】
【００１８】
本発明の表示装置によれば、同一エリアに複数の表示内容を表示できるようにして表示スペースを最小にし、かつ、価格等の改定作業を短時間に行うことができる。
【発明を実施するための最良の形態】
【００１９】
（表示装置の動作原理）
本発明の実施の形態を説明する前に、図１および図２を参照して本発明の表示装置の動作原理を説明する。図１において、（ａ）は表示装置の正面を示し、（ｂ）は（ａ）のＡ−Ａ線に沿う断面を示す。また、図２は、表示パターンの内容を示す。
【００２０】
この表示装置１は、アクリル、ポリカーボネート、ＰＥＴ（ポリエチレンテレフタレート）等による光透過性の基板１０と、この基板１０上に形成されたパターン部２０と、基板１０の下面に配置されて、赤、青、緑の光を選択的に発光するＬＥＤによる光源３０とを備える。なお、基板１０は、フィルムであってもよい。
【００２１】
パターン部２０は、光透過パターンとしての図２の（ａ）〜（ｃ）に示す３種類のパターン、即ち、○パターン２１と、×パターン２２と、△パターン２３とを同一平面上に重ね合わせた形状を有する。○パターン２１は光源３０が緑色を発光したときに、×パターン２２は光源３０が赤色を発光したときに、△パターン２３は光源３０が青色を発光したときにそれぞれ表示される。なお、上記３つのパターンと表示色の組合せは、上記組合せに限定されるものではなく、自由に変更することができる。
【００２２】
光源３０は、緑色ＬＥＤ３１と、赤色ＬＥＤ３２と、青色ＬＥＤ３３とを備え、不図示の駆動回路によって、いずれか１つのＬＥＤが点灯駆動される。
【００２３】
パターン２１〜２３は、必要光を透過し、不必要光を透過しない光フィルタとして機能すると共に、光源３０の発光色に対応した以下のような透過色を有するが、パターン相互の交差部においては、赤、青、緑以外の透過色を有する部材が配置されている。
【００２４】
（１）○パターン２１の単独部分は、緑色パターン２１ａであり、緑のピーク波長を主に透過させ、その他の波長は不透過な特性を有する。
（２）×パターン２２の単独部分は、赤色パターン２２ａであり、赤のピーク波長を主に透過させ、その他の波長は不透過な特性を有する。なお、赤のピーク波長を含み、その波長よりも長い波長の光を主に透過させるものであってもよい。
（３）△パターン２３の単独部分は、青色パターン２３ａであり、青のピーク波長を主に透過させ、その他の波長は不透過な特性を有する。なお、青のピーク波長を含み、青のピーク波長より短い波長の光を主に透過させるものであってもよい。
（４）○パターン２１と×パターン２２の交差部は、黄色パターン２４であり、緑と赤のピーク波長を主に透過させ、その他の波長は不透過な特性を有する。
（５）○パターン２１と△パターン２３の交差部は、青緑色パターン２５であり、青と緑のピーク波長を主に透過させ、その他の波長は不透過な特性を有する。
（６）×パターン２２と△パターン２３の交差部は、紫色パターン２６であり、赤と青のピーク波長を主に透過させ、その他の波長は不透過な特性を有する。
（７）３つのパターン２１，２２，２３の交差部は透明部２７であり、この部分は基板１０が露出している。或いは、この部分に透明部材が貼着される。
（８）上記（１）〜（７）以外の部分、即ち、パターン部２０以外の基板１０の表面は全ての波長に対して不透過な黒色パターン２８である。
【００２５】
図１において、光源３０の緑色ＬＥＤ３１を発光させると、緑色パターン２１ａ、黄色パターン２４、青緑色パターン２５、および透明部２７を緑色光が透過し、○パターン２１の表示が行われる。このとき、×パターン２２の赤色パターン２２ａ、△パターン２３の青色パターン２３ａ、および紫色パターン２６は、緑色光が透過しないので、×パターン２２および△パターン２３は表示されない。
【００２６】
次に、赤色ＬＥＤ３２を発光させると、赤色パターン２２ａ、黄色パターン２４、紫色パターン２６、および透明部２７を赤色光が透過し、×パターン２２の表示が行われる。このとき、緑色パターン２１ａ、青色パターン２３ａ、および青緑色パターン２５は、赤色光が透過しないので、○パターン２１および△パターン２３は表示されない。
【００２７】
次に、青色ＬＥＤ３３を発光させると、青色パターン２３ａ、青緑色パターン２５、紫色パターン２６、および透明部２７を青色光が透過し、△パターン２３の表示が行われる。このとき、緑色パターン２１ａおよび赤色パターン２２ａは、青色光が透過しないので、○パターン２１および×パターン２２は表示されない。
【００２８】
以上のように、図１に示した表示装置１によれば、複数の発光色を備える光源３０と、それぞれの発光色に対応したパターン２１，２２，２３を有するパターン部２０との組合せにより、１つの表示スペースに複数の内容を表示することができる。
【００２９】
［第１の実施の形態］
（自動販売機の構成）
図３は、本発明の第１の実施の形態に係る自動販売機を示す。この自動販売機１００は、筐体としての販売機本体２と、販売機本体２の正面に取り付けられた前面扉３と、商品見本４０を有し価格や冷温状態等を表示する表示装置５０と、購入したい商品を指定するための押しボタン装置５Ａ，５Ｂ，５Ｃと、釣り銭の返却またはキャンセルを行う際に操作される硬貨返却レバー６と、硬貨が投入される硬貨挿入口７と、紙幣が挿入される紙幣挿入口８と、硬貨が戻される硬貨返却口９と、押しボタン装置５Ａ〜５Ｃの内のいずれかの押しボタンの押下により指定した商品が投下される商品取出口１１とを備える。
【００３０】
販売機本体２は、販売する商品、制御装置、商品払出機構、入金装置、釣り銭払い出し機構等を内蔵している。
【００３１】
前面扉３は、販売機本体２の前面に開閉自在に蝶着されており、商品の搬入、代金の回収、メンテナンス等の際に開閉され、前面は透明ガラス等で覆われている。
【００３２】
押しボタン装置５Ａ，５Ｂ，５Ｃは、商品見本に対応して購買者が外部から操作することができる複数の押しボタンよりなる押しボタン部４１を備える。
【００３３】
（表示装置の構成）
図４は、内部機構を省略した表示装置を示す。この表示装置５０は、商品のダミー等からなる複数の商品見本４０と、商品見本４０を保持する商品見本陳列棚４Ａと、商品見本陳列棚４Ａの前面に設けられた表示部５２と、光源を収納し、光源の光を前方側に出射するリフレクタ５１とを備える。表示部５２は、商品見本に対応して商品ごとに割り当てられて商品価格を表示する価格表示部４２および商品の温冷または売切れ状態等を表示する状態表示部４３とを有する。
【００３４】
図５は、表示装置５０の詳細構成を示し、（ａ）は表示部５２、商品見本４０、および商品見本陳列棚４Ａを取り除いた状態を示し、（ｂ）は（ａ）表示装置５０の縦断面図を示す。表示装置５０は、光源５３，５４による発光光を反射するリフレクタ５１と、このリフレクタ５１の正面に設けられて、商品価格部４２および状態表示部４３を含む表示部５２と、表示部５２の裏面に対向させてリフレクタ５１の後部に設けられた光源５３，５４とを備える。
【００３５】
表示部５２は、図１で説明した構成の光透過性の基板およびその表面に形成された光透過パターンを備えた光透過部材５２ａと、表示部５２の視認性を向上させるための反射防止用の部材、例えば、ＰＥＴ、アクリル、ＰＣ等による反射防止部材５２ｂとを有する。
【００３６】
図５の（ａ）に示すように、光源５３は、緑色ＬＥＤ５３１と、赤色ＬＥＤ５３２と、青色ＬＥＤ５３３とを備え、光源５４は、緑色ＬＥＤ５４１と、赤色ＬＥＤ５４２と、青色ＬＥＤ５４３とを備える。
【００３７】
（表示部の構成）
図６は表示装置５０における表示部５２の構成を示し、（ａ）は価格表示部４２の正面図、（ｂ）は状態表示部４３の正面図を示す。価格表示部４２は、図６(ａ)に示すように、“￥１００”、“１１０”、“￥１２０”の３種の文字パターンが、交差するように配置されている。これら３種の文字のうち、共通する“￥”、１００の位の“１”および１の位の“０”は、実線で表され、１０の位の“０”、“１”および“２”は、３種の線種を用いて表される。この場合、実線で表した文字は、光透過性の基板上の透明部により形成される。１０の位の“０”は、例えば、緑色光を透過する部材で形成され、図では破線により表される。“１”は赤色光を透過する部材により形成され、図では１点鎖線により表される。“２”は青色光を透過する部材により形成され、図では点線で表される。ここで、図１と同様に文字パターンが交差した部分は、複数の発光光を透過する部材により形成される。例えば、光源５３の緑色ＬＥＤ５３１を点灯すると“￥１００”が表示され、赤色ＬＥＤ５３２を点灯すると“￥１１０”が表示され、青色ＬＥＤ５３３を点灯すると“￥１２０”が表示されるようになっている。
【００３８】
状態表示部４３は、図６(ｂ)に示すように、破線で表され、赤色光を透過する“ＨＯＴ”、１点差線で表され、青色光を透過する“ＣＯＬＤ”、点線で表され、緑色光を透過する“売切”の３種の文字パターンが交差するように形成されている。状態表示部４３は、図６（ｂ）において３種の線種を用いて記載してある。状態表示部４３は、価格表示部４２と同様に、文字パターンが交差した部分は、複数の発光光を透過する部材により形成される。例えば、光源５４の青色ＬＥＤ５４３を点灯すると“ＣＯＬＤ”が表示され、赤色ＬＥＤ５４２を点灯すると“ＨＯＴ”が表示され、緑色ＬＥＤ５４１を点灯すると“売切”が表示されるようになっている。
【００３９】
（改定作業）
次に、この自動販売機における商品の販売価格の改定等の作業について説明する。販売価格の改定の作業は、図示しない制御部の制御により光源５３,５４の対応するＬＥＤを点灯することにより行われる。
【００４０】
まず、販売商品の価格の改定は、改定後の価格データに基づいて制御部により一括して行われ、例えば、“￥１００”から“￥１２０”のように変更される。“ＨＯＴ”および“ＣＯＬＤ”間の変更は、冷却、加熱ユニットに設けられた冷却／加熱切替スイッチに連動して制御部が所定の商品の商品収納庫の冷却／加熱の切替えを行うとともに表示部５２の表示の切替えを行う。販売状態から“売切”への変更は、商品収納庫に設けられた売切れセンサの信号に基づいて制御部からの制御信号に従って“売切”表示が行われる。“新発売”表示は、サービス員の操作に基づく制御部の制御より行われる。
【００４１】
（自動販売機の動作）
図７は表示装置５０の表示部５２における表示内容を示す。ここでは、表示装置５０の一部のみを図示している。
【００４２】
図７および図３〜図６を参照して、以下に自動販売機１００の動作について説明する。自動販売機１００の制御装置には、予め、商品ごとに価格と販売形態を示す表示の設定、即ち、どのＬＥＤを点灯するかの設定が予め行われている。このため、表示装置５０には、図７に示すように、価格表示部４２に陳列中の商品に応じた価格が表示され、状態表示部４３に販売状況が表示されている。
【００４３】
ユーザは、商品見本陳列棚４Ａ，４Ｂ，４Ｃの中から買いたい商品を選び、その価格または価格以上の金額の紙幣または硬貨を紙幣挿入口８または硬貨挿入口７から挿入する。次に、その商品に対応する表示装置５０に対応する押しボタンを押すと、制御装置、商品払出機構等が動作し、指定の商品が商品取出口１１に投下される。このとき、釣り銭があれば、硬貨返却口９に返却される。
【００４４】
（第１の実施の形態の効果）
第１の実施の形態によれば、下記の効果を奏する。
（イ）所定の広さの表示部に複数のパターンによる表現が可能になるので、各表示パターンの表示を小さくすることなく、表示スペースを最小にすることができる。
（ロ）発光色に応じて表示内容のイメージを表現することができる。
（ハ）表示部に反射防止用の部材を設けたことにより、視認性を向上させることができる。
（ニ）自動販売機に適用した場合、表示内容切替えを自動販売機の内部設定と同期させることができるほか、遠隔操作が可能になるため、表示内容の変更を表示装置側で行わずに済ますことができる。
（ホ）商品見本の配置に関係なく表示内容の切替えができるため、同じ飲料において、冷飲料、温飲料を隣同士に配置することができる。
【００４５】
［第２の実施の形態］
図８は、本発明の第２の実施の形態に係る表示装置を示す。本実施の形態は、第１の実施の形態の表示装置５０において、光源５３の緑色ＬＥＤ５３１、赤色ＬＥＤ５３２、および青色ＬＥＤ５３３のそれぞれを３個にし、光源５４においても、緑色ＬＥＤ５４１、赤色ＬＥＤ５４２、および青色ＬＥＤ５４３のそれぞれを３個にするととも、これら３種のＬＥＤを光源ごとに横一列に配置したものであり、その他の構成は、第１の実施の形態と同様である。
【００４６】
第２の実施の形態によれば、各色のＬＥＤを１個から３個に増設したことにより、表示パターンの全面を均一な明るさにすることができる。その他の効果は、第１の実施の形態と同様である。
【００４７】
［第３の実施の形態］
図９は、本発明の第３の実施の形態に係る表示装置を示す。本実施の形態は、第１の実施の形態に係る表示装置５０において、光源５３の緑色ＬＥＤ５３１、赤色ＬＥＤ５３２、および青色ＬＥＤ５３３を、１つのＬＥＤチップによって緑色、赤色、青色の３色を選択的に発光可能なＲＧＢＬＥＤ６１，６１に代え、更に、光源５４の緑色ＬＥＤ５４１、赤色ＬＥＤ５４２、および青色ＬＥＤ５４３をＲＧＢＬＥＤ６２，６２に代えた構成としたものであり、その他の構成は第１の実施の形態と同様である。
【００４８】
第３の実施の形態によれば、単色のＬＥＤの３個分を１個のＲＧＢＬＥＤで代用できるため、３個分の設置スペースを１個分にすることができ、ＬＥＤの使用個数の低減、および省スペース化を図ることができる。その他の効果は、第１の実施の形態と同様である。
【００４９】
［他の実施の形態］
なお、本発明は、上記各実施の形態に限定されず、その要旨を変更しない範囲内で種々な変形が可能である。例えば、各実施の形態間の構成要素の組合せは任意に行うことができる。具体的には、光源５３に図５の構成を適用し、光源５４に図８や図９の構成を適用することができる。
【００５０】
前記各実施の形態において、パターン部２０は、３種類の表示を行う組合せにしたが、２種類または４種類以上であってもよい。この場合、光源５３，５４は、２種類または４種類以上の光を発光する構成にする。
【００５１】
なお、本発明は、自動販売機に限らず、ゲーム機等の他の装置に適用してもよい。例えば、スロット等のゲーム機に使用されるボタンの表示部に複数の光を個別に透過する複数のパターンを交差するように設け、光源からの複数の色の光を受けて選択的にパターンを表示させるものであってもよい。
【図面の簡単な説明】
【００５２】
【図１】本発明の表示装置の動作原理図であり、（ａ）は表示装置の平面図、（ｂ）は（ａ）のＡ−Ａ線に沿う断面図である。
【図２】表示パターンの内容を示すパターン図である。
【図３】本発明の第１の実施の形態に係る自動販売機を示す外観図である。
【図４】内部機構を省略した表示装置の斜視図である。
【図５】表示装置の詳細構成図であり、（ａ）は表示部、商品見本および商品見本陳列棚を取り除いた状態の正面図、（ｂ）は表示装置の縦断面図である。
【図６】表示装置における表示部の構成図であり、（ａ）は価格表示部の正面図、（ｂ）は状態表示部の正面図である。
【図７】表示中の表示装置の一部の拡大図である。
【図８】本発明の第２の実施の形態に係る表示装置の表示部を取り除いた状態の正面図である。
【図９】本発明の第３の実施の形態に係る表示装置の表示部を取り除いた状態の正面図である。
【符号の説明】
【００５３】
１  表示装置
２  販売機本体
３  前面扉
４Ａ，４Ｂ，４Ｃ  商品見本陳列棚
５Ａ，５Ｂ，５Ｃ  押しボタン装置
６  硬貨返却レバー
７  硬貨挿入口
８  紙幣挿入口
９  硬貨返却口
１０  基板
１１  商品取出口
２０  パターン部
２１  ○パターン
２１ａ  緑色パターン
２２  ×パターン
２２ａ  赤色パターン
２３  △パターン
２３ａ  青色パターン
２４  黄色パターン
２５  青緑色パターン
２６  紫色パターン
２７  透明部
２８  黒色パターン
３０  光源
３１  緑色ＬＥＤ
３２  赤色ＬＥＤ
３３  青色ＬＥＤ
４０  商品見本
４１  押しボタン部
４２  商品価格部
４３  状態表示部
５０  表示装置
５１  筐体
５２  表示部
５２ａ  光透過部材
５２ｂ  反射防止部材
５３，５４  光源
１００  自動販売機
５３１  緑色ＬＥＤ
５３２  赤色ＬＥＤ
５３３  青色ＬＥＤ
５４１  緑色ＬＥＤ
５４２  赤色ＬＥＤ
５４３  青色ＬＥＤ
【図１】
2006215641.tif 000003
【図２】
2006215641.tif 000004
【図３】
2006215641.tif 000005
【図４】
2006215641.tif 000006
【図５】
2006215641.tif 000007
【図６】
2006215641.tif 000008
【図７】
2006215641.tif 000009
【図８】
2006215641.tif 000010
【図９】
2006215641.tif 000011